(57)【要約】【課題】磁気テープ上に有効データ領域を大きく確保しながらも、簡単な方法で、記録されているデータの符号化方式の判別を行えるようにすること。【解決手段】画像データを符号化して記録媒体に記録する記録装置であって、入力された画像信号を、互いに異なる複数の符号化方式により符号化し、複数の符号化画像データを生成する符号化手段と（１０１、１０２）、複数の符号化方式に対応した、異なるパターンを持つ複数のシンクデータを生成するシンク発生部（１０４）と、複数の符号化方式のうち、選択された符号化方式に対応したパターンを持つシンクデータを出力するようシンクデータ発生手段を制御する制御手段と、選択された符号化方式により符号化された、所定量の符号化画像データ毎に、選択された符号化方式に対応したシンクデータを付加して複数のシンクブロックを形成し、複数のシンクブロックからなる符号化データ列を記録媒体に記録する記録手段（１０５、１０６）とを備える。【選択図】  図１
2004173213.tif 000002
【特許請求の範囲】
【請求項１】
画像データを符号化して記録媒体に記録する記録装置であって、
入力された画像信号を、互いに異なる複数の符号化方式により符号化し、複数の符号化画像データを生成する符号化手段と、
前記複数の符号化方式に対応した、異なるパターンを持つ複数のシンクデータを生成するシンクデータ発生手段と、
前記複数の符号化方式のうち、選択された符号化方式に対応したパターンを持つ前記シンクデータを出力するよう前記シンクデータ発生手段を制御する制御手段と、
前記選択された符号化方式により符号化された、所定量の前記符号化画像データ毎に、前記選択された符号化方式に対応した前記シンクデータを付加して複数のシンクブロックを形成し、複数の前記シンクブロックからなる符号化データ列を記録媒体に記録する記録手段と
を備える記録装置。
【請求項２】
前記複数の符号化方式は、高品質な映像信号を符号化する高品質符号化方式と、標準品質の映像信号を符号化する標準品質符号化方式を含むことを特徴とする請求項１に記載の記録装置。
【請求項３】
前記高品質符号化方式はＭＰＥＧ符号化におけるＭＰ＠ＨＬまたはＭＰ＠Ｈ−１４方式であり、前記標準品質符号化方式はＨＤデジタルＶＣＲ評議会により規定されたＤＶフォーマット方式であることを特徴とする請求項２に記載の記録装置。
【請求項４】
前記記録媒体より前記符号化データ列を再生する再生手段と、
前記再生手段により再生された符号化データ列中の符号化画像データを、前記複数の符号化方式で復号する復号手段と、
前記再生手段により再生された複数のシンクブロックから前記シンクデータを検出し、この検出結果により前記再生された符号化画像データの符号化方式を判別して、前記復号手段で使用する符号化方式を制御するシンクデータ検出手段と
を更に備えたことを特徴とする請求項１乃至３のいずれかに記載の記録装置。
【請求項５】
前記記録媒体は磁気テープであることを特徴とする請求項１から４のいずれかに記載の記録装置。
【請求項６】
記録媒体から画像データを読み出して再生する再生装置であって、
前記記録媒体より符号化データ列を再生する再生手段と、
前記再生手段により再生された符号化データ列中の符号化画像データを、互いに異なる複数の符号化方式で復号する復号手段と、
前記再生手段により再生された符号化データ列中の複数のシンクブロックからシンクデータを検出し、この検出結果により前記再生された符号化画像データの符号化方式を判別して、前記復号手段で使用する符号化方式を制御するシンクデータ検出手段と
を備えたことを特徴とする再生装置。
【請求項７】
前記複数の符号化方式は、高品質な映像信号を符号化する高品質符号化方式と、標準品質の映像信号を符号化する標準品質符号化方式を含むことを特徴とする請求項６に記載の再生装置。
【請求項８】
前記高品質符号化方式はＭＰＥＧ符号化におけるＭＰ＠ＨＬまたはＭＰ＠Ｈ−１４方式であり、前記標準品質符号化方式はＨＤデジタルＶＣＲ評議会により規定されたＤＶフォーマット方式であることを特徴とする請求項７に記載の再生装置。
【請求項９】
前記記録媒体は磁気テープであることを特徴とする請求項６乃至８のいずれかに記載の再生装置。
【請求項１０】
画像データを符号化して記録媒体に記録する記録方法であって、
入力された画像信号を、互いに異なる複数の符号化方式により符号化し、複数の符号化画像データを生成する符号化工程と、
前記複数の符号化方式に対応した、異なるパターンを持つ複数のシンクデータを生成するシンクデータ発生工程と、
前記シンクデータ発生工程において、前記複数の符号化方式のうち、選択された符号化方式に対応したパターンを持つ前記シンクデータを出力するよう制御する制御工程と、
前記選択された符号化方式により符号化された、所定量の前記符号化画像データ毎に、前記選択された符号化方式に対応した前記シンクデータを付加して複数のシンクブロックを形成し、複数の前記シンクブロックからなる符号化データ列を記録媒体に記録する記録工程と
を備える記録方法。
【請求項１１】
前記複数の符号化方式は、高品質な映像信号を符号化する高品質符号化方式と、標準品質の映像信号を符号化する標準品質符号化方式を含むことを特徴とする請求項１０に記載の記録方法。
【請求項１２】
前記高品質符号化方式はＭＰＥＧ符号化におけるＭＰ＠ＨＬまたはＭＰ＠Ｈ−１４方式であり、前記標準品質符号化方式はＨＭデジタルＶＣＲ評議会により規定されたＭＶフォーマット方式であることを特徴とする請求項１１に記載の記録方法。
【請求項１３】
前記記録媒体は磁気テープであることを特徴とする請求項１０乃至１２のいずれかに記載の記録方法。
【請求項１４】
記録媒体から画像データを読み出して再生する再生方法であって、
前記記録媒体より符号化データ列を再生する再生工程と、
前記再生工程において再生された符号化データ列の複数のシンクブロックからシンクデータを検出し、この検出結果により前記再生された符号化データ列の符号化画像データの符号化方式を判別するシンクデータ検出工程と、
前記再生工程により再生された符号化データ列中の符号化画像データを、前記シンクデータ検出工程で検出された符号化方式により復号する復号工程と
を備えたことを特徴とする再生方法。
【請求項１５】
前記複数の符号化方式は、高品質な映像信号を符号化する高品質符号化方式と、標準品質の映像信号を符号化する標準品質符号化方式を含むことを特徴とする請求項１４に記載の再生方法。
【請求項１６】
前記高品質符号化方式はＭＰＥＧ符号化におけるＭＰ＠ＨＬまたはＭＰ＠Ｈ−１４方式であり、前記標準品質符号化方式はＨＭデジタルＶＣＲ評議会により規定されたＭＶフォーマット方式であることを特徴とする請求項１５に記載の再生方法。
【請求項１７】
前記記録媒体は磁気テープであることを特徴とする請求項１４乃至１６のいずれかに記載の再生方法。
【発明の詳細な説明】
【０００１】
【発明の属する技術分野】
本発明は、画像データの記録再生に関する。
【０００２】
【従来の技術】
従来、映像データを磁気テープに記録する方式として、ＨＤ（Ｈｉｇｈ  Ｄｅｆｉｎｉｔｉｏｎ）デジタルＶＣＲ評議会により規定されたＤＶ（Ｄｉｇｉｔａｌ  Ｖｉｄｅｏ）フォーマットが知られている。ＤＶフォーマットでは、図５（ａ）に示すように、１本のトラックに対して回転ヘッドのトレース方向に、ＩＴＩ（Ｉｎｓｅｒｔ  ａｎｄ  Ｔｒａｃｋ  Ｉｎｆｏｒｍａｔｉｏｎ）セクタ、オーディオセクタ、ビデオセクタ、サブコードセクタを順次配置し、各セクタはシンクパターンが付加された複数のシンクブロックによって構成されている。また、ＩＴＩセクタとオーディオセクタの間と、オーディオセクタとビデオセクタの間、ビデオセクタとサブコードセクタの間にそれぞれギャップが形成される。
【０００３】
このように、ＤＶフォーマットでは複数のギャップが形成され、さらに、各セクタにはプリアンブルやポストアンブルが形成されているため、実質的なデータの記録レートを十分に得られないという課題がある。その課題を解決するための方法として、ギャップを形成することなく磁気テープに記録し、従来のギャップ領域をデータ領域として使用する方法が提案されている（例えば、特許文献１参照）。
【０００４】
また、特許文献１の提案に加えて、さらにＩＴＩセクタをプリアンブルのみとし、さらなるデータ領域の拡大を行う方法も提案されている（例えば、特許文献２参照）。以下、この方法によるフォーマットを「ＨＤフォーマット」と呼び、その構成を図５（ｂ）に示す。
【０００５】
【特許文献１】
特開２００１−２７５０７６号公報
【特許文献２】
特開２００１−２７５０７７号公報
【０００６】
【発明が解決しようとする課題】
しかし、上記従来の技術では、ＤＶフォーマットとの互換性を保つため、ＤＶフォーマットの検出をＩＴＩセクタに記録されているＡＰＴ２，ＡＰＴ１，ＡＰＴ０の検出により行い、ＨＤフォーマットの検出にはメインセクタのＩＤ、またはサブコードセクタのＩＤを検出することにより行っており、磁気テープに記録されているトラック上の、それぞれ異なる部分から記録されている符号化方式の判別を行う必要があった。そのため、符号化方式の判別に複雑な処理が必要になるという課題があった。
【０００７】
本発明は上記問題点を鑑みてなされたものであり、磁気テープ上に有効データ領域を大きく確保しながらも、簡単な方法で、記録されているデータの符号化方式の判別を行えるようにすることを目的とする。
【０００８】
【課題を解決するための手段】
上記目的を達成するために、画像データを符号化して記録媒体に記録する本発明の記録装置は、入力された画像信号を、互いに異なる複数の符号化方式により符号化し、複数の符号化画像データを生成する符号化手段と、前記複数の符号化方式に対応した、異なるパターンを持つ複数のシンクデータを生成するシンクデータ発生手段と、前記複数の符号化方式のうち、選択された符号化方式に対応したパターンを持つ前記シンクデータを出力するよう前記シンクデータ発生手段を制御する制御手段と、前記選択された符号化方式により符号化された、所定量の前記符号化画像データ毎に、前記選択された符号化方式に対応した前記シンクデータを付加して複数のシンクブロックを形成し、複数の前記シンクブロックからなる符号化データ列を記録媒体に記録する記録手段とを有する。
【０００９】
また、画像データを符号化して記録媒体に記録する本発明の記録方法は、入力された画像信号を、互いに異なる複数の符号化方式により符号化し、複数の符号化画像データを生成する符号化工程と、前記複数の符号化方式に対応した、異なるパターンを持つ複数のシンクデータを生成するシンクデータ発生工程と、前記シンクデータ発生工程において、前記複数の符号化方式のうち、選択された符号化方式に対応したパターンを持つ前記シンクデータを出力するよう制御する制御工程と、前記選択された符号化方式により符号化された、所定量の前記符号化画像データ毎に、前記選択された符号化方式に対応した前記シンクデータを付加して複数のシンクブロックを形成し、複数の前記シンクブロックからなる符号化データ列を記録媒体に記録する記録工程とを有する。
【００１０】
好ましくは、前記記録装置は、前記記録媒体より前記符号化データ列を再生する再生手段と、前記再生手段により再生された符号化データ列中の符号化画像データを、前記複数の符号化方式で復号する復号手段と、前記再生手段により再生された複数のシンクブロックから前記シンクデータを検出し、この検出結果により前記再生された符号化画像データの符号化方式を判別して、前記復号手段で使用する符号化方式を制御するシンクデータ検出手段とを更に有する。
【００１１】
また、上記目的を達成するために、記録媒体から画像データを読み出して再生する本発明の再生装置は、前記記録媒体より符号化データ列を再生する再生手段と、前記再生手段により再生された符号化データ列中の符号化画像データを、互いに異なる複数の符号化方式で復号する復号手段と、前記再生手段により再生された符号化データ列中の複数のシンクブロックからシンクデータを検出し、この検出結果により前記再生された符号化画像データの符号化方式を判別して、前記復号手段で使用する符号化方式を制御するシンクデータ検出手段とを有する。
【００１２】
更に、記録媒体から画像データを読み出して再生する本発明の再生方法は、前記記録媒体より符号化データ列を再生する再生工程と、前記再生工程において再生された符号化データ列の複数のシンクブロックからシンクデータを検出し、この検出結果により前記再生された符号化データ列の符号化画像データの符号化方式を判別するシンクデータ検出工程と、前記再生工程により再生された符号化データ列中の符号化画像データを、前記シンクデータ検出工程で検出された符号化方式により復号する復号工程とを有する。
【００１３】
【発明の実施の形態】
以下、添付図面を参照して本発明の好適な実施の形態を詳細に説明する。
【００１４】
図１は、本発明の実施の形態における磁気テープ記録再生装置の記録系の構成例を示している。
【００１５】
図１において、１０１は高品位なＨＤ映像をＭＰ＠ＨＬまたはＭＰ＠Ｈ−１４方式などのＭＰＥＧ方式で符号化（以下、「ＨＤ符号化」と呼ぶ。）するＨＤ符号化部、１０２は標準品位のＳＤ（Ｓｔａｎｄａｒｄ  Ｄｅｆｉｎｉｔｉｏｎ）映像を、民生用ＤＶ方式で符号化（以下、「ＤＶ符号化」と呼ぶ。）するＤＶ符号化部、１０３は図示しないシステムコントローラなどから与えられる符号化方式の選択信号により接続を切り替えるスイッチ、１０４はＨＤ符号化されたデータを記録する場合のシンク（Ｓｙｎｃ）パターンと、ＤＶ符号化されたデータを記録する場合のシンクパターンとのどちらも発生可能なシンク発生部、１０５はスイッチ１０３の出力とシンク発生部１０４の出力を合成し、磁気テープのトラック上に記録する為のデータフォーマットにする合成部、１０６は合成部１０５が出力するトラックデータを磁気テープに記録する記録部、１０７は磁気テープである。
【００１６】
以下、上記構成を有する記録系による記録動作の詳細を説明する。
【００１７】
不図示のシステムコントローラから記録する符号化方式の選択信号が発生され、その選択信号がＤＶ方式を選択指示している場合、ＤＶ符号化部１０２は入力するＳＤ映像を所定の方法で符号化し、ＤＶ符号化データを出力する。スイッチ１０３は選択信号によりＤＶ符号化部１０２に接続し、ＤＶ符号化データを出力する。シンク発生部１０４は選択信号により、ＤＶ方式に対応するシンクパターン（Ｓｙｎｃ−ＤＶ）を発生するように制御され、発生したシンクパターン（Ｓｙｎｃ−ＤＶ）を出力する。合成部１０５はスイッチ１０３が出力するＤＶ符号化データと、シンク発生部１０４が出力するＤＶ方式に対応したシンクパターンとを合成して、磁気テープのトラック上に記録するデータを出力する。
【００１８】
合成部１０５から出力され、トラック上に記録される、本実施の形態のビデオセクタの構成を図２に示す。なお、ＤＶフォーマット全体のトラック内のセクタ構成は図５（ａ）に示すものと同様である。図２のシンクブロックに付加されるシンクパターンは、ＤＶ方式に規定されるシンクパターン（Ｓｙｎｃ−ＤＶ）となっている。
【００１９】
一方、図示しないシステムコントローラから出力される符号化方式の選択信号がＨＤ方式を選択指示している場合、ＨＤ符号化部１０１は入力するＨＤ映像をＭＰ＠ＨＬまたはＭＰ＠Ｈ−１４方式などのＭＰＥＧ方式で符号化し、ＨＤ符号化データを出力する。スイッチ１０３は選択信号によりＨＤ符号化部１０１に接続し、ＨＤ符号化データを出力する。シンク発生部１０４は選択信号により、ＨＤ符号化方式に対応するシンクパターン（Ｓｙｎｃ−ＨＤ）を発生するように制御され、発生したシンクパターンを出力する。ＨＤ方式に対応するシンクパターンは、上記ＤＶ方式に対応するシンクパターンとは異なるシンクパターンにする。合成部１０５はスイッチ１０３が出力するＨＤ符号化データと、シンク発生部１０４が出力するＨＤ方式に対応したシンクパターンとを合成して、磁気テープのトラック上に記録するデータを出力する。
【００２０】
合成部１０５から出力され、トラック上に記録される、本実施の形態のメインセクタの構成を図３に示す。なお、ＨＤフォーマット全体のトラック内のセクタ構成は図５（ｂ）に示すものと同様である。図３のシンクブロックに付加されるシンクパターンはＨＤ方式に規定されるシンクパターン（Ｓｙｎｃ−ＨＤ）であり、ＤＶ方式に規定されるシンクパターン（Ｓｙｎｃ−ＤＶ）とは異なるシンクパターンとなっている。
【００２１】
図４は、本発明の実施の形態における磁気テープ記録再生装置の再生系の構成例を示している。
【００２２】
図４において、４０１は磁気テープ、４０２は磁気テープ４０１に記録されているデータを再生する再生部、４０３は再生部４０２が出力する磁気テープ４０１の記録データからシンクを検出し、検出したシンクパターンによって記録されているデータの符号化方式を判別し、判別信号を出力するするシンク検出部、４０４はシンク検出部４０３が出力する符号化方式判別信号によって、再生符号化データを出力する先を切り替えるスイッチ、４０５は再生符号化データをＭＰ＠ＨＬまたはＭＰ＠Ｈ−１４方式などのＭＰＥＧ方式で復号化し、ＨＤ映像を出力するＨＤ復号化部、４０６は再生符号化データをＤＶ方式で復号化し、ＳＤ映像を出力するＤＶ復号化部である。
【００２３】
以下、上記構成を有する再生系による再生動作の詳細を説明する。
【００２４】
再生部４０２は磁気テープ４０１に記録されているデータを再生し、再生データを出力する。再生部４０２から出力された再生データは、シンク検出部４０３およびスイッチ４０４に入力される。シンク検出部４０３は再生データよりシンクパターンの検出を行い、ＤＶ方式のシンクパターン（Ｓｙｎｃ−ＤＶ）、および、ＤＶ方式のシンクパターンとは異なるＨＤ方式のシンクパターン（Ｓｙｎｃ−ＨＤ）のいずれかを検出する。シンク検出部４０３は上記シンクパターンのうち、いずれかのシンクパターンを検出すると、スイッチ４０４へＤＶ方式かＨＶ方式かを示す符号化方式判別信号を出力する。スイッチ４０４はこの符号化方式判別信号により、ＤＶ方式であった場合には、再生された符号化データをＤＶ復号化部４０６へ出力し、ＤＶ復号化部４０６はＤＶ方式により入力した符号化データを復号化し、ＳＤ映像を出力する。一方、符号化方法判別信号がＨＤ方式を示す場合には、再生された符号化データをＨＤ復号化部４０５へ出力し、ＨＤ復号化部４０５はＨＤ方式により入力した符号化データを復号化し、ＨＤ映像を出力する。
【００２５】
以上説明したように、本実施の形態によればシンクデータのパターンを判別するだけで、記録されているデータの符号化方式を判別することができる。
【００２６】
なお、上記実施の形態では、データ符号化方式は２種類であったが、本発明はこれに限るものではなく、３種類以上のデータ符号化方式に容易に適用可能であることは言うまでもない。その場合にも、同様の効果を得ることができる。
【００２７】
なお、本発明は、複数の機器（例えばホストコンピュータ、インターフェイス機器、記録装置、再生装置）から構成されるシステムに適用しても、一つの機器からなる装置（例えば、ビデオデッキなど）に適用してもよい。
【００２８】
また、本発明の目的は、前述した実施形態の機能を実現するソフトウェアのプログラムコードを記録した記憶媒体（または記録媒体）を、システムあるいは装置に供給し、そのシステムあるいは装置のコンピュータ（またはＣＰＵやＭＰＵ）が記憶媒体に格納されたプログラムコードを読み出し実行することによっても、達成されることは言うまでもない。この場合、記憶媒体から読み出されたプログラムコード自体が前述した実施形態の機能を実現することになり、そのプログラムコードを記憶した記憶媒体は本発明を構成することになる。また、コンピュータが読み出したプログラムコードを実行することにより、前述した実施形態の機能が実現されるだけでなく、そのプログラムコードの指示に基づき、コンピュータ上で稼働しているオペレーティングシステム（ＯＳ）などが実際の処理の一部または全部を行い、その処理によって前述した実施形態の機能が実現される場合も含まれることは言うまでもない。ここでプログラムコードを記憶する記憶媒体としては、例えば、フレキシブルディスク、ハードディスク、ＲＯＭ、ＲＡＭ、磁気テープ、不揮発性のメモリカード、ＣＤ−ＲＯＭ、ＣＤ−Ｒ、ＤＶＤ、光ディスク、光磁気ディスク、ＭＯなどが考えられる。
【００２９】
さらに、記憶媒体から読み出されたプログラムコードが、コンピュータに挿入された機能拡張カードやコンピュータに接続された機能拡張ユニットに備わるメモリに書込まれた後、そのプログラムコードの指示に基づき、その機能拡張カードや機能拡張ユニットに備わるＣＰＵなどが実際の処理の一部または全部を行い、その処理によって前述した実施形態の機能が実現される場合も含まれることは言うまでもない。
【００３０】
【発明の効果】
以上説明したように、本発明によれば、磁気テープ上に有効データ領域を大きく確保しながらも、簡単な方法で、記録されているデータの符号化方式の判別を行うことができる。
【図面の簡単な説明】
【図１】本発明の実施の形態における磁気テープ記録再生装置の記録系の概略構成を示すブロック図である。
【図２】ＤＶ方式のビデオセクタの詳細構成を示す図である。
【図３】ＨＤ方式のメインセクタのの詳細構成を示す図である。
【図４】本発明の実施の形態における磁気テープ記録再生装置の再生系の概略構成を示すブロック図である。
【図５】ＤＶ方式とＨＤ方式のデータフォーマットを示す図である。
【符号の説明】
１０１  ＨＤ符号化部
１０２  ＤＶ符号化部
１０３  スイッチ
１０４  シンク発生部
１０５  合成部
１０６  記録部
１０７、４０１  磁気テープ
４０２  再生部
４０３  シンク検出部
４０４  スイッチ
４０５  ＨＤ復号化部
４０６  ＤＶ復号化部
【図１】
2004173213.tif 000003
【図２】
2004173213.tif 000004
【図３】
2004173213.tif 000005
【図４】
2004173213.tif 000006
【図５】
2004173213.tif 000007